(57)【要約】【課題】使用し易く、お茶の品質を向上できる自動温度制御茶道具を提供すること。【解決手段】頂面に壺体を置くための加熱領域が設けられる炉体があり、当該炉体の中に、ヒーターと制御回路とが設けられ、また、当該炉体の外側に、パネルが設けられ、当該パネルに、機能表や温度計、タイマー及び複数の制御ボタンが含有される。これにより、機能表でお茶入れに必要とする水温を選別して加熱したお湯でお茶入れをする。【選択図】図１
0003117548.tif 000002
【実用新案登録請求の範囲】
【請求項１】
主として、頂面に壺体を置くための加熱領域が設けられる炉体があり、当該炉体の中に、ヒーターと制御回路とが設けられ、また、当該炉体の外側に、パネルが設けられ、当該パネルに、機能表や温度計、タイマー及び複数の制御ボタンが含有され、これにより、機能表でお茶入れに必要とする水温を選別し、ヒーターで壺内の水に対して加熱して、水温を設定した範囲内に維持することにより、当該炉体によって加熱されるお湯でお茶入れをすると、炉体上のタイマーにより計時できるため、より良いお茶の品質が得られる、ことを特徴とする自動温度制御茶道具。
【請求項２】
前記機能表に、
ａ.手動、
ｂ.温度が９０℃〜９５℃である茶種類で、例えば、烏龍茶や鉄観音、
ｃ.温度が８５℃〜９０℃である茶種類で、例えば、高山茶、
ｄ.温度が８０℃〜８５℃である茶種類で、例えば、包種茶や白毫烏龍茶、
ｅ.温度が６５℃〜７０℃である茶種類で、例えば、緑茶、
ｆ.自己セット、
等の六つのオプションが設けられる、ことを特徴とする請求項１に記載の自動温度制御茶道具。
【請求項３】
前記機能表の自己セットのプションに、電圧選択と温度単位選択とが含有される、ことを特徴とする請求項２に記載の自動温度制御茶道具。
【請求項４】
前記電圧選択は、２２０ボルト、２００ボルト及び１１０ボルト等のオプションが設けられる、ことを特徴とする請求項３に記載の自動温度制御茶道具。
【請求項５】
当該温度単位選択は、摂氏℃オプションと華氏°Ｆのオプションが設けられる、ことを特徴とする請求項３に記載の自動温度制御茶道具。
【考案の詳細な説明】
【技術分野】
【０００１】
本考案は、最も良いお茶入れの温度を選択できる自動温度制御茶道具（自動温度制御茶道具装置）に関し、お茶入れの炉体や類似する構造に適用されるものである。
【背景技術】
【０００２】
中国人がお茶を飲む歴史が長くて、また、今においても、お茶を飲む人もまた多いため、お茶入れの品質を要求しつつ、また、茶の葉の種類が様々であり、例えば、烏龍茶や鉄観音、高山茶及び包種茶等があり、何れかの茶の葉でも、お茶入れの時、茶の葉を熱湯に浸してから、茶の葉の香りが熱湯に融合されるため、お茶が独特な茶の葉の香りを持ち、渇きをいやして、気持ちが良くなる効果が得られる。
【０００３】
しかしながら、お茶入れは、沸騰する水を直接に茶の葉に掛ける事だけでなく、より良いお茶を入れるには、茶の葉を沸騰する水に浸す時間の他に、沸騰する水の温度が、お茶の品質が良いかどうかのもう一つのキーポイントであり、また、お茶の種類が非常に多いため、各種類のお茶が、温度に対する要求が異なり、そして、浸す時間も様々であるため、適当な温度と時間が無ければ茶の葉の香りが完全に釈放されない。
【０００４】
今まで、お茶入れの時、水の温度が、主として沸騰する水を基準とし、お茶入れの時間の計算が、お茶を入れる者の経験や感覚によるため、出来上がったお茶の品質は、差異が大きくなり、お茶の品質が人的な要因に影響され、そして、沸騰する水の温度と浸す時間等が把握し難いため、沸騰する水の温度が高すぎや浸す時間が長すぎなどにより、お茶の香りが発散できずやお茶が苦くなりなどが起こって、飲みにくくなる問題を、解決しなければならない。
【０００５】
本考案は、上記の問題を解決するために、より良いお茶の品質を有する、沸騰する水の温度をより簡単に把握できる自動温度制御茶道具を提供する。
【考案の開示】
【考案が解決しようとする課題】
【０００６】
本考案の主な目的は、お茶入れの沸騰する水を、当該茶種に合わせて最も適当な温度にすることにより、お茶の品質を向上できる、使用しやすい、自動温度制御茶道具を提供する。
【０００７】
本考案の他の目的は、茶の葉を適当なお湯に浸す時間を提示して、お茶をより良い味にする、自動温度制御茶道具を提供する。
【課題を解決するための手段】
【０００８】
本考案は、上記の目的を達成するため、主として、頂面に壺体を置くための加熱領域が設けられる炉体があり、当該炉体の中に、ヒーターと制御回路とが設けられ、また、当該炉体の外側に、パネルが設けられ、当該パネルに、機能表や温度計、タイマー及び複数の制御ボタンが含有され、これにより、機能表でお茶入れに必要とする水温を選別し、ヒーターで壺内の水に対して加熱して、水温を設定した範囲内に維持することにより、当該炉体によって加熱されるお湯でお茶入れをすると、炉体上のタイマーにより計時できるため、より良いお茶の品質が得られる。
また本考案は、前記機能表に、
ａ.手動、
ｂ.温度が９０℃〜９５℃である茶種類で、例えば、烏龍茶や鉄観音茶、
ｃ.温度が８５℃〜９０℃である茶種類で、例えば、高山茶、
ｄ.温度が８０℃〜８５℃である茶種類で、例えば、包種茶や白毫烏龍茶、
ｅ.温度が６５℃〜７０℃である茶種類で、例えば、緑茶、
ｆ.自己セット、
等の六つのオプションが設けられる、ことを特徴とする前記自動温度制御茶道具を提供する。
また本考案は、前記機能表の自己セットのプションに、電圧選択と温度単位選択とが含有される、ことを特徴とする前記自動温度制御茶道具を提供する。
また本考案は、前記電圧選択は、２２０ボルト、２００ボルト及び１１０ボルト等のオプションが設けられる、ことを特徴とする前記自動温度制御茶道具を提供する。
また本考案は、当該温度単位選択は、摂氏オプションと華氏のオプションが設けられる、ことを特徴とする前記自動温度制御茶道具を提供する。
【考案の効果】
【０００９】
本考案は、上記のように、次の利点が得られる。
（１）炉体に対して、各茶種類に適合する水温が設定され、機能ボタンにより、簡単に選択でき、炉体が水を加熱する時、温度を、設定した範囲に維持し、水温が、当該所定の茶の葉に適合する温度になる。
（２）各種類の茶の葉の１回目のお茶入れと、その後の２回目や３回目のお茶入れとは、適温や浸す時間が異なるが、タイマーを設定することにより、適温であるお湯を茶の葉に掛けると、タイマーが起動され、設定した時間が経過すると、タイマーが提示音を鳴き、これにより、より良い品質である最も良い状態のお茶が得られる。
（３）手動で選択することにより、温度と時間とを任意に設定して、水温を最も良い状態に保持することができる。
（４）また、自己セットにより、各国に符合する電源を選択でき、また、慣れている温度単位を選択できるため、便利的である。
【考案を実施するための最良の形態】
【００１０】
以下、図面を参照しながら、具体的に実施例を挙げて詳しく説明する。
本考案は、図１を参照しながら、主として、パネル１０と加熱領域１１とが設けられる炉体１があり、当該加熱領域１１が、パネル１０によって制御され、図２を参照しながら、当該パネル１０に、温度計１００や機能表１０１、タイマー１０２及び複数の機能ボタンが設けられ、当該機能ボタンに、二つのセットボタン１０３や確認ボタン１０４、中止ボタン１０５、タイマー停止（リセット）ボタン１０６及び起動ボタン１０７が含有され、当該機能表１０１に、
ａ.手動、
ｂ.烏龍茶、鉄観音茶、
ｃ.高山茶、
ｄ.包種茶、白毫烏龍茶、
ｅ.緑茶、
ｆ.自己セット
等の六つのオプションが設けられる。
【００１１】
１番目のオプション「手動」を選択すると、二つのセットボタン１０３を介して温度計１００の温度を設定し、また、二つのセットボタン１０８を介してタイマー１０２の時間を設定し、２番目から５番目のオプションを選択すると、各種類の茶の葉に最も適合な沸騰する水の温度に設定し、例えば、烏龍茶や鉄観音の水温が９０℃〜９５℃で、高山茶の水温が８５℃〜９０℃で、包種茶や白毫烏龍茶の水温が８０℃〜８５℃で、緑茶の水温が６５℃〜７０℃である。
【００１２】
図３のように、水のある壺２０を炉体１０の加熱領域１１の上に置き、お茶の種類に従って、例えば、烏龍茶であれば、セットボタン１０３で２番目のオプションを選別して、確認ボタン１０４を押すと、当該加熱領域１１により、壺２０に対して加熱し、温度計１００に、今の温度が表示され、温度が９０℃に加熱されると、炉体１が加熱を停止して、保温状態に維持し、この時、壺２０内の水温が、烏龍茶に適合する温度であり、そして、仮に、烏龍茶の１回目のお茶入れが、９０度であるお湯に１分３０秒に浸すことであれば、タイマー１０２を１分３０秒に設定してから、壺２０内の適温であるお湯を茶の葉に掛け、１分３０秒が経過すると、タイマー１０２が提示音を鳴き、また、仮に、２回目のお茶入れが、９０度であるお湯に４０秒に浸すことであれば、タイマー１０２を４０秒に設定してから、壺２０内の適温であるお湯を茶の葉に掛け、４０秒が経過すると、タイマー１０２が提示音を鳴き、これにより、出来上がるお茶が、良い品質を有する。
【００１３】
また、国によって電圧が異なり、また、慣れている温度の単位も様々であるため、図２、４を参照しながら、セットボタン１０３で機能表１０１の６番目のオプション「自己セット」機能を選択して、確認ボタン１０４により、「自己セット」機能のオプションに進み、電圧選択と温度単位選択の二つのオプションがあり、電圧選択のオプションに進むと、２２０ボルトや２００ボルト或いは１１０ボルトの電圧が選択でき、プラグ（図に未表示）を交換することだけで、各国でも使え、また、温度単位選択のオプションに進むと、慣れた温度単位（摂氏℃や華氏°Ｆ）を選別できる。
【００１４】
上記のように本実施の形態に係る自動温度制御茶道具は、次の利点が得られる。
【００１５】
１、炉体に対して、各茶種類に適合する水温が設定され、機能ボタンにより、簡単に選択でき、炉体が水を加熱する時、温度を、設定した範囲に維持し、水温が、当該所定の茶の葉に適合する温度になる。
【００１６】
２、各種類の茶の葉の１回目のお茶入れと、その後の２回目や３回目のお茶入れとは、適温や浸す時間が異なるが、タイマーを設定することにより、適温であるお湯を茶の葉に掛けると、タイマーが起動され、設定した時間が経過すると、タイマーが提示音を鳴き、これにより、より良い品質である最も良い状態のお茶が得られる。
【００１７】
３、手動で選択することにより、温度と時間とを任意に設定して、水温を最も良い状態に保持することができる。
【００１８】
４、また、自己セットにより、各国に符合する電源を選択でき、また、慣れている温度単位を選択できるため、便利的である。
【００１９】
以上は、ただ、本考案のより良い実施の形態の説明であり、本考案は、其れに限られず、本技術に良く分かる熟練者であれば、簡単に色々な変更や修正ができ、それらのすべてが、本考案の内容に含まれる。
【図面の簡単な説明】
【００２０】
【図１】本考案に係わる実施例の立体外観図
【図２】本考案に係わる実施例のパネルの拡大概念図
【図３】本考案に係わる実施例の使用概念図
【図４】本考案に係わる実施例において、自己セットのプションに進む時の概念図
【符号の説明】
【００２１】
１・・・・・・炉体
１０・・・・・パネル
１１・・・・・加熱領域
１００・・・・温度計
１０１・・・・機能表
１０２・・・・タイマー
１０３・・・・セットボタン
１０４・・・・確認ボタン
１０５・・・・中止ボタン
１０６・・・・タイマー停止（リセット）ボタン
１０７・・・・起動ボタン
１０８・・・・セットボタン
２０・・・・・壺
【図１】
0003117548.tif 000003
【図２】
0003117548.tif 000004
【図３】
0003117548.tif 000005
【図４】
0003117548.tif 000006